(57)【要約】  【課題】  正極と負極を電気的に離隔し、短絡の発生を低減した信頼性の高い太陽電池モジュールの端子ボックスおよびこれを用いた太陽電池モジュールを提供すること。  【解決手段】  太陽電池パネル６からの出力を外部に取り出すための端子１４ａ、１４ｂを収納する太陽電池モジュール用の端子ボックス１１であって、前記端子ボックス１１は、容器１２と、該容器１２の開口部を覆う蓋体１３とからなり、前記容器１２は、前記太陽電池パネル６の第１の出力導体８ａに接続する第１の端子１４ａが配置される第１領域１２ａと、前記太陽電池パネル６の第２の出力導体８ｂに接続する第２の端子１４ｂが配置される第２の領域１２ｂと、前記第１の領域１２ａと前記第２の領域１２ｂとを仕切るように設けられ、前記容器１２の開口面上に溝１７を有する隔壁部１６とを備えており、前記蓋体１３は、前記溝１７に収容される突起部１８を有している。
2011001975.tif 000002
【特許請求の範囲】
【請求項１】
太陽電池パネルからの出力を外部に取り出すための端子を収納する太陽電池モジュール用の端子ボックスであって、
前記端子ボックスは、容器と、該容器の開口部を覆う蓋体とからなり、
前記容器は、
前記太陽電池パネルの第１の出力導体に接続する第１の端子が配置される第１の領域と、
前記太陽電池パネルの第２の出力導体に接続する第２の端子が配置される第２の領域と、
前記第１の領域と前記第２の領域とを仕切るように設けられ、前記容器の開口面上に溝を有する隔壁部とを備えており、
前記蓋体は、前記溝に収容される突起部を有している、太陽電池モジュールの端子ボックス。
【請求項２】
前記容器は、前記開口面から見たときに矩形状であり、
前記隔壁部および前記溝は、前記容器の対向する２つの内側壁のそれぞれに達するように延設されている、請求項１に記載の太陽電池モジュール用の端子ボックス。
【請求項３】
前記突起部は、前記対向する２つの内側壁のそれぞれに達するように延設されている、請求項２に記載の太陽電池モジュール用の端子ボックス。
【請求項４】
前記突起部は、複数設けられている、請求項１〜３のいずれかに記載の太陽電池モジュール用の端子ボックス。
【請求項５】
前記突起部の先端部が、前記溝の底面と接触している、請求項１〜４のいずれかに記載の太陽電池モジュール用の端子ボックス。
【請求項６】
前記溝の底面には弾性部材が配置されており、
前記突起部の先端部が、前記弾性部材と接触している、請求項１〜４のいずれかに記載の太陽電池モジュール用の端子ボックス。
【請求項７】
前記突起部の側壁および前記溝の内側壁の少なくとも一方に、張り出し部が設けられており、
前記突起部と前記溝とが、前記張り出し部を介して接触している、請求項１〜６のいずれかに記載の太陽電池モジュール用の端子ボックス。
【請求項８】
前記張り出し部が、前記突起部の側壁に設けられている、請求項１〜７のいずれかに記載の太陽電池モジュール用の端子ボックス。
【請求項９】
前記突起部および前記隔壁部は、前記対向する２つの内側壁のそれぞれに達するように延設されており、
前記張り出し部は、前記突起部の延設方向における中央部および前記隔壁部の延設方向における中央部の少なくとも一方に設けられている、請求項７に記載の太陽電池モジュール用の端子ボックス。
【請求項１０】
前記張り出し部は前記突起部の突出方向に延在している、請求項１〜９のいずれかに記載の太陽電池モジュール用の端子ボックス。
【請求項１１】
太陽電池パネルの非受光面と接合されている、請求項１〜１０のいずれかに記載の太陽電池モジュール用の端子ボックス。
【請求項１２】
前記蓋体は、前記突起部と前記隔壁部との間に、外部に連通する貫通孔を有している、請求項１１に記載の太陽電池モジュール用の端子ボックス。
【請求項１３】
請求項１〜１２のいずれかに記載の太陽電池モジュール用の端子ボックスと、
該端子ボックスの前記第１の端子と電気的に接続された第１の出力導体および第２の出力導体を有する太陽電池パネルと、を備えた太陽電池モジュール。
【発明の詳細な説明】
【技術分野】
【０００１】
本発明は太陽電池モジュール用の端子ボックスおよびこれを用いた太陽電池モジュールに関する。
【背景技術】
【０００２】
従来、端子ボックスの製造に要する作業工数や作業時間を低減すること、あるいは端子ボックスと、端子ボックスに充填した樹脂との界面で生じる毛管現象による水分の端子ボックス内への浸入を抑制することを目的として、樹脂による封止を行わない（以下、ポッティングレスと呼ぶ）端子ボックスが提案されている（例えば、特許文献１）。
【先行技術文献】
【特許文献】
【０００３】
【特許文献１】特開２００４−６３６５１号公報
【発明の概要】
【発明が解決しようとする課題】
【０００４】
しかしながら、特許文献１に記載の端子ボックスは、外気温が低下したときに端子ボックス内の空気中に含まれる水分が結露し、端子ボックス内が水膜に覆われて、短絡を生じるおそれがあった。【０００５】
本発明の目的は、短絡の発生を低減した信頼性の高い太陽電池モジュール用の端子ボックスおよびこれを用いた太陽電池モジュールを提供することである。
【課題を解決するための手段】
【０００６】
本発明の太陽電池モジュールの端子ボックスは、太陽電池パネルからの出力を外部に取り出すための端子を収納する太陽電池モジュール用の端子ボックスであって、前記端子ボックスは、容器と、該容器の開口部を覆う蓋体とからなり、前記容器は、前記太陽電池パネルの第１の出力導体に接続する第１の端子が配置される第１の領域と、前記太陽電池パネルの第２の出力導体に接続する第２の端子が配置される第２の領域と、前記第１の領域と前記第２の領域とを仕切るように設けられ、前記容器の開口面上に溝を有する隔壁部とを備えており、前記蓋体は、前記溝に収容される突起部を有している。【０００７】
本発明の太陽電池モジュールは、前記太陽電池モジュール用の端子ボックスと、該端子ボックスの前記第１の端子と電気的に接続された第１の出力導体および第２の出力導体を有する太陽電池パネルと、を備えたものである。
【発明の効果】
【０００８】
本発明の太陽電池モジュール用の端子ボックスおよび太陽電池モジュールによれば、第１の端子および第２の端子が配置された第１の領域および第２の領域を離隔する隔壁部の溝部内に収容されるように、蓋体の突起部が配されているため、第１の端子と第２の端子との間において、沿面距離や空間距離を大きく確保することができる。その結果、端子ボックス自体の大型化や樹脂による気密封止をすることなく、第１の端子と第２の端子との絶縁を確保しやすくなり、短絡やトラッキングの発生を低減することができる。
【図面の簡単な説明】
【０００９】
【図１】本発明の太陽電池モジュールの一実施形態を示すものであり、（ａ）は太陽電池モジュールの積層構成を示す分解斜視図、（ｂ）は太陽電池モジュールの断面図である。
【図２】本発明の端子ボックスの一実施形態を示すものであり、（ａ）は端子ボックスを構成する容器に蓋体を取り付ける様子を示す分解斜視図、（ｂ）は端子ボックスの斜視図である。
【図３】図２（ｂ）のＡ−Ａ’線における断面図であり、（ａ）は沿面距離を説明するための図、（ｂ）は空間距離を説明するための図である。
【図４】（ａ）は図２（ｂ）のＢ−Ｂ’線における断面図であり、（ｂ）は図２（ａ）のＣ部の拡大斜視図である。
【図５】本発明の端子ボックスの他の実施態様を示す断面図である。
【図６】本発明の端子ボックスの他の実施態様を示す断面図である。
【図７】本発明の端子ボックスの他の実施態様を示す断面図である。
【図８】本発明の端子ボックスの他の実施態様を示す断面図である。
【図９】本発明の端子ボックスの蓋体の実施態様を示す斜視図である。
【図１０】本発明の端子ボックスの他の実施態様を示す分解図である。
【図１１】本発明の端子ボックスの他の実施態様を示す分解図である。
【図１２】本発明の端子ボックスの容器の実施態様を示す図である。
【図１３】本発明の端子ボックスの蓋体の実施態様を示す図である。
【発明を実施するための形態】
【００１０】
図１において、太陽電池モジュールＸは、透光性基板１、受光面側充填材２、複数の太陽電池素子３からなる複数の太陽電池素子列（太陽電池マトリクス３’）、非受光面側充填材４、および裏面保護材５を順次積層してなる太陽電池パネル６と、太陽電池素子３で発電された電力を外部に取り出すための端子ボックス１１とを備えている。
【００１１】
透光性基板１としては、例えば、ガラス、あるいはポリカーボネート樹脂などの合成樹脂からなる基板が用いられる。ガラスは、白板ガラス（例えば、石英ガラス）、強化ガラス、白板強化ガラス、熱線反射ガラスなどが用いられる。厚さ３ｍｍ〜５ｍｍ程度の白板強化ガラスが耐久性の観点から好適である。他方、ポリカーボネート樹脂などの合成樹脂からなる基板を用いた場合には、厚みが５ｍｍ程度が好適である。
【００１２】
受光面側充填材２および非受光面側充填材４は、例えば、エチレン−酢酸ビニル共重合体（以下、エチレン−酢酸ビニル共重合体をＥＶＡと略す）から成り、厚さ０．４〜１ｍｍ程度のシート状の形態で用いられている。これらは、ラミネート装置により減圧下で加熱加圧を行うことで、融着して他の部材と一体化される。受光面側充填材２においては、透明なＥＶＡを用いるとよい。また、非受光面側充填材４には透明なＥＶＡを用いてもよいが、それ以外に太陽電池モジュールの周囲の設置環境に合わせてＥＶＡに酸化チタンや顔料等を含有させ、これにより、白色等に着色させてもよい。
【００１３】
太陽電池素子３は、例えば、厚み０．３〜０．４ｍｍ程度の単結晶シリコンや多結晶シリコン基板などが用いられる。また、このようなシリコン基板以外の形態としては、透光性基板上に積層してなるアモルファスシリコン等より成る薄膜系やＣＩＧＳ等の化合物系の形態を選択することができる。太陽電池素子３の内部にはＰＮ接合が形成されるとともに、その受光面と非受光裏面にはそれぞれ電極が設けられており、さらに受光面上には反射防止膜を設けてもよい。太陽電池素子３の大きさとしては、例えば、多結晶シリコンの場合、約１００〜１５０ｍｍ角程度である。このような太陽電池素子３は、接続配線７により直列または並列に電気的に接続されて直線状の太陽電池ストリングを構成する。また、太陽電池ストリングは、平面視して、マトリックス状になるように接続配線７’で電気的に接続されて、太陽電池マトリクス３’を構成する。
【００１４】
接続配線７、７’は、太陽電池素子３同士を電気的に接続できれば、形状および材質等は特に限定されない。例えば、厚さ０．１ｍｍ程度、幅２ｍｍ〜４ｍｍ程度の銅箔の全面をハンダコートしたものを、所定の長さに切断し、太陽電池素子３の電極上などにハンダ付けする形態が好適である。
【００１５】
裏面保護材５は、太陽電池パネルの内部、例えば、太陽電池素子３、受光面側充填材２および非受光面側充填材４への水分の浸入を低減する機能を有する。裏面保護材５としては、例えば、アルミ箔を挟持した耐候性を有するフッ素系樹脂シートやアルミナまたはシリカを蒸着したポリエチレンテレフタレ−ト（ＰＥＴ）シートなどが用いられる。
【００１６】
太陽電池パネル６は、太陽電池素子３（太陽電池マトリクス３’）からの出力を外部に取り出すための出力導体８（第１の出力導体８ａと第２の出力導体８ｂ）を有している。この出力導体８は、太陽電池素子３により発電された電気を端子ボックス１に伝導する機能を有している。このような出力導体８は、電気的な接続が実現できれば形状および材質等は特に限定されない。例えば、厚さ０．１ｍｍ程度、幅２ｍｍ〜４ｍｍ程度の銅箔の全面をハンダコートしたものを、所定の長さに切断し、一端部を接続配線７’、他端部を端子ボックスの端子にハンダ付けする形態が好適である。また、出力導体８は、裏面保護材５の所定の位置に設けられた開口部より、端子ボックス１に向かって引き出されている。
【００１７】
このような太陽電池パネル６は、透光性基板１、受光面側充填材２、太陽電池マトリクス３’、非受光面側充填材４および裏面保護材５を重畳し、ラミネーター装置にセットし、５０〜１５０Ｐａ程度の減圧下で１００から２００℃程度の温度で１５〜６０分間程度に加熱しながら加圧することにより一体化される。その後、太陽電池パネル６の非受光面側、具体的には裏面保護材５上に端子ボックス１を取り付けることによって太陽電池モジュールＸが作製される。
【００１８】
本発明の一実施形態は、太陽電池パネルからの出力を外部に取り出すための端子を収納する太陽電池モジュール用の端子ボックスであって、前記端子ボックスは、容器と、該容器の開口部を覆う蓋体とからなり、前記容器は、前記太陽電池パネルの第１の出力導体に接続する第１の端子が配置される第１の領域と、前記太陽電池パネルの第２の出力導体に接続する第２の端子が配置される第２の領域と、前記第１の領域と前記第２の領域とを仕切るように設けられ、前記容器の開口面上に溝を有する隔壁部とを備えており、前記蓋体は、前記溝に収容される突起部を有している。
【００１９】
例えば、端子ボックス１１は、図２（ａ）に示すように、開口部（凹部）を有する容器１２と、該開口部を覆う蓋体１３とを備える。容器１２には、さらに、第１の端子１４ａおよび第２の端子１４ｂと、コネクタ１５と、を有している。容器１２は、第１の端子１４ａおよび第２の端子１４ｂ等を収納するものである。容器１２は、第１の端子１４ａが配される第１の領域１２ａと、第２の端子１４ｂが配される第２の領域１２ｂと、第１の領域１２ａと第２の領域１２ｂとの間に隔壁部１６とが設けられている。本実施形態においては、隔壁部１６は、容器１２を平面視して、第１の領域１２ａと第２の領域１２ｂとを仕切るように配置されている。また、隔壁部１６の頂面（開口面上）には、溝１７が形成されている。容器１２は、絶縁性を有する材料からなり、例えば、樹脂や、表面をゴムなどの絶縁材料で被覆されたアルミダイキャストなどで構成されている。樹脂材料としては、例えば、変性ポリフェニレンエーテル樹脂（変性ＰＰＥ樹脂）、ポリフェニレンオキサイド樹脂（ＰＰＯ樹脂）、ＡＢＳ樹脂等が挙げられる。また、紫外線などに対する耐光性を向上するという観点から、このような樹脂材料に黒色の顔料を混合したり、容器１２の外周面を黒色に着色することが好ましい。また、容器１２は、底面側を、太陽電池パネル６の非受光面側の所定の位置に接着材等を用いて取り付けられる。容器１２の大きさや形状は、取り付けられる太陽電池モジュールの大きさにより最適に決定すればよい。例えば、太陽電池モジュールが０．３×０．３［ｍ２］〜３×３［ｍ２］の場合、一辺が５〜１５ｃｍ程度、厚みが１〜５ｃｍ程度の、平面視して正方形や長方形状などの矩形状の容器１２が用いられる。容器１２内面の表面性状の算術平均表面粗さＲａが５μｍよりも大きく設定することが、容器１２内面で結露が分散して気化し易くなる点で好ましい。容器１２内面を、フッ素コートなどの撥水加工処理を施すことが、端子１４ａ、１４ｂ間での結露による導通が分断され易くなる点で好ましい。本実施形態においては、隔壁部１６および溝１７は、容器１２の対向する２つの内側壁に達するように設けられている。これによって、第１の領域１２ａと第２の領域１２ｂとの間の仕切りをより確実に行うことができる。
【００２０】
第１の端子１４ａおよび第２の端子１４ｂは、互いに異なる極性を有しており、例えば、第１の端子１４ａが正極であれば、第２の端子１４ｂが負極である。このとき、第１の端子１４ａには、太陽電池パネル６から引き出された第１の出力導体８ａが電気的に接続されており、第２の端子１４ｂには、第２の出力導体８ｂが電気的に接続されている。第１の端子１４ａおよび第２の端子１４ｂは、銅やりん青銅、黄銅などからなり、出力導体８およびコネクタ１５への接続部を有し、容器１２の第１の領域１２ａおよび第２の領域１２ｂにそれぞれ配置されている。コネクタ１５は、太陽電池パネル６で発電された電力を外部の負荷につなげるためのものである。本実施形態に係る端子ボックス１１では、互いに異なる極性を有する第１の端子１４ａおよび第２の端子１４ａが配置された第１の領域１２ａおよび第２の領域１２ｂを離隔する隔壁部１６の溝１７内に収容されるように、蓋体１３の突起部１８が配されている。そのため、図３（ａ）および図３（ｂ）に示すように、第１の端子１４ａと第２の端子との間の沿面距離や空間距離を大きく確保することができる。すなわち、本実施形態では、第１の領域１２ａと第２の領域１２ｂとを区画する隔壁部１６の内部（具体的には、溝７内）に突起部１８が収容されているため、例えば、図３（ａ）に示すように、沿面距離は、突起部１８の周面を含むようになる。それ故、本実施形態における上記沿面距離は、突起部１８が形成されていないような平坦な蓋体と比べて、大きくなる。これにより、端子ボックス１１では、端子ボックス自体の大型化や樹脂の気密封止をすることなく、第１の端子１４ａと第２の端子１４ｂとの絶縁を確保しやすくなり、短絡やトラッキングの発生を低減することができる。なお、第１の端子１４ａおよび第２の端子１４ｂと第１の出力導体８ａおよび第２の出力導体８ｂとの電気的な接続は、半田接合する以外に、図４（ａ）に示すように、ネジ１９を締め込み、バネ２０と端子４の間で挟持固定してもよい。その際、図４（ｂ）に示すように、出力導体の先端８ｃがバネ２０を通過して視認できるようにすることで、作業ミスを防止することができる。このように、出力導体８を撓ませて配置することで、容器１２内に樹脂を気密封止しても、該樹脂に阻まれることなく出力導体８の撓みの曲率を変化できることから、熱膨張・熱収縮に伴う熱応力が出力導体８などに加わることを低減し、出力導体８の破断や、出力導体８と端子の間の電気的な接触不良が生じるのを低減することができる。
【００２１】
蓋体１３は、上述のように、容器１２の底面と対向し、容器１２の開口部を覆うように配置されている。また、蓋体１３には、突起部１８が形成されている。そして、この突起部１８は、容器１２の溝１７に収容されるように配される。
【００２２】
さらに本実施形態では、前記容器は、前記開口面から見たときに矩形状であり、前記隔壁部および前記溝は、前記容器の対向する２つの内側壁のそれぞれに達するように延設されている。またさらに本実施形態では、前記突起部は、前記対向する２つの内側壁のそれぞれに達するように延設されている。例えば、突起部１８は、蓋体１３の一端部および他端部に延設され、容器１２が矩形状であり、２つの対向する内側壁に、突起部１８が達するように配置されている。このような構成にすることによって、結露した水分が移動し難くなる。また例えば、図９および図１０のように、突起部１８の少なくとも一端部側または他端部側に係合片２３を備え、かつ容器１２の内側壁に係合片２３に対応する係合部２３’を形成することが、容器１２と蓋体１３との固定ができるとともに、脱着が容易に行える点で好ましい。蓋体１３は、容器１２に対して、接着、嵌合またはネジ等で固定されていてもよい。蓋体１３は、容器１２と同様に絶縁性を有し、一般には、容器１２と同様の材料が形成される。
【００２３】
さらに本実施形態では、前記突起部は、複数設けられている。例えば、図５は、端子ボックス２１は、突起部１８が複数設けられている点で端子ボックス１１と相違する。このような形態によれば、沿面距離をさらに大きくすることができるため、第１の端子１４ａと第２の端子１４ｂとの絶縁をより確保しやくなる。溝１７の幅と、複数の突起部１８の間隔の幅との関係については、溝１７の幅が広く、突起部１８の間隔の幅が狭ければ、複数の突起部１８を溝１７の内部に配置することができるので、沿面距離をさらに大きくすることができる。具体的には、溝１７の幅は、突起部１８と隔壁部１６とが接触をしないように、２ｍｍ以上とするのが好ましく、突起部１８の間隔の幅は、水滴が突起部１８の間でつながって導通しないようにすることを考慮して２ｍｍ以上とすることが好ましい。溝１７の幅と、突起部１８の厚さとの関係については、溝１７の幅が広く、突起部１８の厚さが薄ければ、複数の突起部１８を溝１７の内部に配置することができるので、沿面距離をさらに大きくすることができる。具体的には、溝１７の幅は、隔壁部１６間でつながって導通しないようにすることを考慮して２ｍｍ以上とすることが好ましく、突起部１８の厚は隔壁部１６と不必要な接触をしないように考慮して０．２〜１ｍｍとすることが好ましい。
【００２４】
さらに本実施形態では、前記突起部の先端部が、前記溝の底面と接触している。例えば、図６の端子ボックス３１は、突起部１８の先端部が溝１７の底面と接触している点で端子ボックス１１と相違する。このような形態によれば、突起部１８の高さを最大限、大きくすることができるため、沿面距離を大きくすることができる。なお突起部１８は、先端稜線部全体が溝１７の底面と接触していてもよい。溝１７の深さと突起部１８の高さについては、溝１７の深さの半分以上を目安とし、具体的には溝１７の深さが２０ｍｍ以上、突起部１８の高さが１０ｍｍ以上であることが好ましく、溝１７の深さと突起部１８の高さが略同一であることが、容器１２と蓋体１３における気密封止をする点、両方の端子間における隔離をする点で最も好ましい。
【００２５】
さらに本実施形態では、前記溝の底面には弾性部材が配置されており、前記突起部の先端部が、前記弾性部材と接触している。例えば、図７の端子ボックス４１は、突起部１８の先端部が溝１７の底面に配された弾性部材２４と接触している点で端子ボックス１１と相違する。この弾性部材２４は、絶縁性を有しており、例えば、エラストマー系樹脂が好ましく、例えば、エラストマー樹脂としては、シリコン系ゴム、ウレタン系樹脂、エポキシ樹脂等が挙げられる。このような形態によれば、突起部１８が凹部の底面との衝撃によって破損するのを低減することができるとともに、沿面距離を大きくすることができる。このような弾性部材２４によって、第１の領域１２ａと第２の領域１２ｂとの間の気密性を高めることができる。
【００２６】
さらに本実施形態では、太陽電池モジュール用の端子ボックスは、太陽電池パネルの非受光面と接合されている。前記容器は、底面側で前記太陽電池パネルと接合されているので、蓋側１３に水がたまり易いようにすることができる。さらに、前記蓋体は、前記突起部と前記隔壁部との間に、外部に連通する貫通孔を有している。例えば、図８の端子ボックス５１は、蓋体１３が隔壁部１６と突起部１８との間に、外部に連通する貫通孔２２が形成されている点で端子ボックス１１と相違する。このような形態によれば、空気の結露等によって容器１２内に生じた水を貫通孔２２を介して外部に排水することができるため、水分による短絡等の発生を低減することができる。また、第１の端子１４ａおよび第２の端子１４ｂとは区画された領域内、具体的には、隔壁部１６の溝１７内と外部とを連通するように貫通孔２２が形成されているため、外部から貫通孔２２を介して埃等が入り込んでも、各端子が設けられた領域に埃等が移動するのを抑制することができる。その結果、埃等で発生するトラッキング現象の発生を低減することができる。貫通孔２２の形状は、内から外へ径が小さくなるコーン形状であると、結露を端子ボックス１１内から外部へ排出し易くなる点で好ましく、また、外部からの埃も端子ボックス１１内に入り込み難い点で好ましい。具体的に貫通孔２２の径は、２〜１０ｍｍの範囲で設計されれば、表面張力で水が貫通孔２２内に留まってしまい、水がスムーズに抜けないというような現象を低減することができる。風雨に曝される環境においては、貫通孔２２の個数は少ない方が好ましいが、風雨に曝されないが温度が急激に変化するような環境においては、貫通孔２２の個数は多い方が好ましい。貫通孔２２の位置は、最も蓋体１３の位置が低くなる部位に設けられるのが、貫通孔２２の個数を最小限に抑えることができる点で都合がよい。
【００２７】
さらに本実施形態では、前記突起部の側壁および前記溝の内側壁の少なくとも一方に、張り出し部が設けられており、前記突起部と前記溝とが、前記張り出し部を介して接触している。またさらに本実施形態では、前記張り出し部が、前記突起部の側壁に設けられている。図９および図１１〜図１２に示すように、突起部１８と隔壁部１６とが対向する面が一部で接触するように突起部１８あるいは隔壁部１６の少なくとも一方に張り出し部を設けてもよい。図９、図１１、および図１３においては、張り出し部は突起部１８に設けられており、図１２においては、張り出し部は、隔壁部１６に設けられている。例えば、図９のように突起部１８と隔壁部１６とが対向する面が一部で接触するように突起部１８あるいは隔壁部１６の少なくとも一方に張り出し部を有する。これにより毛管現象による導通を低減しつつ、容器１２に対する蓋体１３のセンタリングを容易にすることができ、また、センタリング不足により隔壁部１６と突起部１８とが接触することで、毛管現象が発生することを防止できる。張り出し部１８ａの厚さと、突起部１８の厚さとの和は、溝１７の幅と等しいことが、脱着のし易さの点で好ましい。具体的には、張り出し部１８ａの厚さは１〜３ｍｍ、突起部１８の厚さは０．２〜１ｍｍ、溝１７の幅は２ｍｍ以上であることが好ましい。
【００２８】
さらに本実施形態では、前記突起部および前記隔壁部は、前記対向する２つの内側壁のそれぞれに達するように延設されており、前記張り出し部は、前記突起部の延設方向における中央部および前記隔壁部の延設方向における中央部の少なくとも一方に設けられている。張り出し部１８ａ（１６ａ）は、前記突起部１８の延設方向における中央部および前記隔壁部１６の延設方向における中央部の少なくとも一方に設けられていることが好ましい。例えば、図９および図１２のように、突起部１８の中央部に張り出し部１８ａを有することで、これにより容器１２側の成形を容易にすることができる。また、容器１２と蓋体１３との接触面積を最小限にすることで脱着がし易くなり、溝１７を隔離することができるので、溝１７内での結露の伝播を低減することができる。あるいは前記張り出し部を前記突起部１８の両端部または前記隔壁部１６の両端部に有してもよい。また、図１２のように隔壁部１６の中央部に張り出し部１６ａを有することで、これにより蓋体１３の成形を容易にすることができる。
【００２９】
さらに本実施形態では、前記張り出し部は前記突起部の突出方向に延在している。図９、図１２のように張り出し部１８ａは突起部１８が突出している方向（容器１２の底部方向）に延在していることで、蓋体１３を容器１２に挿入し易くすることができる。張り出し部１８ａの長さと、溝１７の深さ、突起部１８の高さがそれぞれ同じであれば、溝１７を両端に隔離することができるので、溝１７内での結露の伝播を低減することができる。その他、張り出し部の断面形状や、張り出し部が複数ある場合の構成などについては特に制限がなく、図１３（ｂ）のように複数ポイントに分けて設けてもよい。
【００３０】
さらに本実施形態では、太陽電池モジュール用の端子ボックスと、該端子ボックスの前記第１の端子と電気的に接続された第１の出力導体および第２の出力導体を有する太陽電池パネルと、を備えたものである。
【００３１】
なお、上述した実施形態では、２つの端子（第１の端子１４ａと第２の端子１４ｂ）が形成された領域（第１の領域１２ａと第２の領域１２ｂ）を隔壁部１６で離隔しているが、本発明では、例えば、２つの端子以外にバイパスダイオード等を設けた場合、その数に応じて、上述の隔壁部１６をさらに設けて、区画するような形態でもよい。
【符号の説明】
【００３２】
Ｘ：太陽電池モジュール
１：透光性基板
２：受光面側充填材
３：太陽電池素子
３’： 太陽電池マトリクス
４：非受光面側充填材
５：裏面保護材
６：太陽電池パネル
７、７’：接続配線
８：出力導体
８ａ：第１の出力導体
８ｂ：第２の出力導体
８ｃ：出力導体の先端
１１、２１、３１、４１、５１：端子ボックス
１２：容器
１２ａ：第１の領域
１２ｂ：第２の領域
１３：蓋体
１４ａ：第１の端子
１４ｂ：第２の端子
１５：コネクタ
１６：隔壁部
１６ａ：張り出し部
１７：溝部
１８：突起部
１８ａ：張り出し部
１９：ネジ
２０：バネ
２２：貫通孔
２３：係合片
２３’：係合部
２４：弾性部材
【図１】
2011001975.tif 000003
【図２】
2011001975.tif 000004
【図３】
2011001975.tif 000005
【図４】
2011001975.tif 000006
【図５】
2011001975.tif 000007
【図６】
2011001975.tif 000008
【図７】
2011001975.tif 000009
【図８】
2011001975.tif 000010
【図９】
2011001975.tif 000011
【図１０】
2011001975.tif 000012
【図１１】
2011001975.tif 000013
【図１２】
2011001975.tif 000014
【図１３】
2011001975.tif 000015
【手続補正書】
【提出日】平成23年10月5日(2011.10.5)
【手続補正１】
【補正対象書類名】明細書
【補正対象項目名】０００７
【補正方法】変更
【補正の内容】
【０００７】
本発明の太陽電池モジュールは、前記太陽電池モジュール用の端子ボックスと、該端子ボックスの前記第１の端子と電気的に接続された第１の出力導体および該端子ボックスの前記第２の端子と電気的に接続された第２の出力導体を有する太陽電池パネルと、を備えたものである。
【手続補正２】
【補正対象書類名】特許請求の範囲
【補正対象項目名】請求項１３
【補正方法】変更
【補正の内容】
【請求項１３】
請求項１〜１２のいずれかに記載の太陽電池モジュール用の端子ボックスと、
該端子ボックスの前記第１の端子と電気的に接続された第１の出力導体および該端子ボックスの前記第２の端子と電気的に接続された第２の出力導体を有する太陽電池パネルと、を備えた太陽電池モジュール。
【国際調査報告】
2011001975.tif 000016
2011001975.tif 000017